(57)【要約】【課題】電子ペーパー技術を応用して、電子ペーパーを各種のゲーム用カードとして利用できるように、電子ペーパーのディスプレイ面に、トランプゲーム、花札、百人一首、タロットゲーム、ドミノゲーム、ウノゲーム、トレーディングゲームなど、それぞれのゲームに対応した図柄や数字や記号等が切り替え表示できるようにして、１組規定枚数の電子ペーパーをゲーム用カードとして利用できるようにする。【解決手段】電子ペーパーを用いたゲームカード１、カードゲーム情報を非接触式にて書込・消去可能な書き込み手段１２、１枚毎に前記ゲームカードにかざしてカードゲーム情報を書き込む書き込みヘッド１１、カードゲーム情報記憶部１３、カードゲーム情報選択出力手段１４、カードゲーム情報シーケンス出力手段１５を備える。【選択図】図１
2008012207.tif 000002
【特許請求の範囲】
【請求項１】
ａ）所定のカードゲームに適用可能なサイズ及び片面又は両面ディスプレイ表示画面の電子ペーパーを用いた１組当たり規定枚数のゲームカードと、
ｂ）所望のカードゲームに対応するカードゲーム情報を、該ゲームカードのディスプレイ表示画面に非接触式にて書込・消去可能な書き込み手段と、
ｃ）前記書き込み手段に接続され且つ１枚毎に前記ゲームカードにかざしてカードゲーム情報を書き込む書き込みヘッドと、
ｄ）各種のカードゲーム情報を収容するカードゲーム情報記憶部と、
ｅ）前記書き込み手段に搭載又は接続され、且つ該書き込み手段の選択指示により所望のカードゲーム情報をゲーム情報記憶部より選択出力するカードゲーム情報選択出力手段と、
ｆ）前記カードゲーム情報選択手段によりゲーム情報記憶部より選択出力されたカードゲーム情報を、前記カードゲーム情報記憶部より規定枚数を１組とする各々ゲームカードにカード一枚毎に対応して順序通り出力するカードゲーム情報シーケンス出力手段と、
を備え、
ｇ）前記書き込み手段にて、カードゲーム情報選択メニューを表示し、該カードゲーム情報選択メニューの中から所望のカードゲーム情報を選択指示し、
ｈ）前記書き込み手段の書き込みヘッドを１枚毎に前記ゲームカードにかざし、
ｉ）前記書き込み手段により選択指示した所望のカードゲーム情報を、前記カードゲーム情報選択出力手段によりゲーム情報記憶部より選択出力し、
ｊ）前記カードゲーム情報選択手段によりゲーム情報記憶部より選択出力されたカードゲーム情報を、前記カードゲーム情報シーケンス出力手段により規定枚数を１組とする各々ゲームカードにカード一枚毎に対応して順序通り出力し、                          
ｋ）所定のカードゲームに適用可能な規定枚数を１組とするゲームカードを用意してカードゲームに供することを特徴とする電子ペーパー式カードゲームシステム。
【請求項２】
前記カードゲーム情報記憶部に収容された各種のカードゲーム情報が、ディスプレイ表示画面を備えた電子ペーパーを用いた規定枚数を１組とする前記各々ゲームカードに記載されるカードゲーム情報であって、ゲームを構成する図柄、数字、記号等の情報であることを特徴とする請求項１記載の電子ペーパー式カードゲームシステム。
【発明の詳細な説明】
【技術分野】
【０００１】
本発明は、紙のように極薄のマイクロカプセル電気泳動型、電子粉流体型、液晶型、有機ＥＬ型等のマトリクスディスプレイシートである電子ペーパーを用いた電子ペーパー式カードゲームシステムに関する。
【背景技術】
【０００２】
近年、電子ブック、掲示板、カタログ、カード、商品値札、シート状時計など、マイクロカプセル電気泳動型、電子粉流体型、液晶型、有機ＥＬ型等のマトリクスディスプレイシートである電子ペーパーを利用した各種の応用製品が開発され、市販され、市場に普及するようになっている。
【０００３】
上記の電子ペーパーは、紙のように薄く、軽量であり、電源が不要であり、ディスプレイの長時間の表示や書き換え表示が可能なものであり、先行技術としては、例えば、マイクロカプセル電気泳動型として特許文献１、２、３等がある。
【０００４】
マイクロカプセル電気泳動型の電子ペーパーは、互いに対向する薄い透明なマトリクス状の駆動電極シートとベタ状の共通電極シートとにより挟まれた微細な間隙内に、シリコーン樹脂などの透明液体中に、例えばプラス電荷の白色微粒子とマイナス電荷の黒色微粒子とを混在させたコアーを包含した微細な透明カプセル（例えば電子インク）を封入したものである。
【０００５】
上記電子ペーパーに対して外部より電界を掛け、ペーパー裏面の駆動電極側の所定マトリクスには、ペーパー表面の透明共通電極（ベース電圧付加側）よりも高電位（＋）を付加し、駆動電極側のそれ以外のマトリクスには、透明共通電極よりも低電位（−）を付加する。その場合、高電位（＋）の所定マトリクスには透明カプセル内のマイナス電荷の黒色微粒子が移動し、低電位（−）のマトリクスには透明カプセル内のプラス電荷の白色微粒子が移動して、電子ペーパーの所定マトリクスには黒が画像として出現し、その他のマトリクスには白が画像として出現して、モノクロ画像が表現されるものである。
【０００６】
また、上記黒色微粒子と白色微粒子とを混在させた透明カプセルの他に印刷の三原色であるシアン微粒子と白色微粒子とを混在させた透明カプセル、マゼンタ微粒子と白色微粒子とを混在させた透明カプセル、イエロー微粒子と白色微粒子とを混在させた透明カプセルを用いることによりカラー画像が表現できるものである。
【０００７】
ところで、従来より公知の一般的なゲーム用のカードとしては、例えば、トランプカード、花札、百人一首、タロットカード、ドミノカード、ウノカード、トレーディングカード等があるが、それぞれのゲーム用カードの片面又は両面には、予め、そのゲームに必要な一定の図柄や数字や記号等が印刷表示されたものが殆どである。
【０００８】
そのため、それぞれカードを、トランプゲーム、花札、百人一首、タロットゲーム、ドミノゲーム、ウノゲーム、トレーディングゲームなど、それぞれのゲーム用カードの表示に切り替えることはできない。
【０００９】
下記に本発明に関連する先行技術文献を記載する。
【特許文献１】特開２００３−２３３７８６号公報
【特許文献２】特開２００３−２４８８０４号公報
【特許文献３】特開２００６−１３３５６１号公報
【発明の開示】
【発明が解決しようとする課題】
【００１０】
本発明は電子ペーパー技術を応用して、電子ペーパーを各種のゲーム用カードとして利用できるように、電子ペーパーのディスプレイ面に、トランプゲーム、花札、百人一首、タロットゲーム、ドミノゲーム、ウノゲーム、トレーディングゲームなど、それぞれのゲームに対応した図柄や数字や記号等が切り替え表示できるようにして、１組の規定枚数の電子ペーパーをゲーム用カードとして利用できるようにすることにある。
【課題を解決するための手段】
【００１１】
本発明の請求項１に係る発明は、
ａ）所定のカードゲームに適用可能なサイズ及び片面又は両面ディスプレイ表示画面の電子ペーパーを用いた１組当たり規定枚数のゲームカードと、
ｂ）所望のカードゲームに対応するカードゲーム情報を、該ゲームカードのディスプレイ表示画面に非接触式にて書込・消去可能な書き込み手段と、
ｃ）前記書き込み手段に接続され且つ１枚毎に前記ゲームカードにかざしてカードゲーム情報を書き込む書き込みヘッドと、
ｄ）各種のカードゲーム情報を収容するカードゲーム情報記憶部と、
ｅ）前記書き込み手段に搭載又は接続され、且つ該書き込み手段の選択指示により所望のカードゲーム情報をゲーム情報記憶部より選択出力するカードゲーム情報選択出力手段と、
ｆ）前記カードゲーム情報選択手段によりゲーム情報記憶部より選択出力されたカードゲーム情報を、前記カードゲーム情報記憶部より規定枚数を１組とする各々ゲームカードにカード一枚毎に対応して順序通り出力するカードゲーム情報シーケンス出力手段と、
を備え、
ｇ）前記書き込み手段にて、カードゲーム情報選択メニューを表示し、該カードゲーム情報選択メニューの中から所望のカードゲーム情報を選択指示し、
ｈ）前記書き込み手段の書き込みヘッドを１枚毎に前記ゲームカードにかざし、
ｉ）前記書き込み手段により選択指示した所望のカードゲーム情報を、前記カードゲーム情報選択出力手段によりゲーム情報記憶部より選択出力し、
ｊ）前記カードゲーム情報選択手段によりゲーム情報記憶部より選択出力されたカードゲーム情報を、前記カードゲーム情報シーケンス出力手段により規定枚数を１組とする各々ゲームカードにカード一枚毎に対応して順序通り出力し、                          
ｋ）所定のカードゲームに適用可能な規定枚数を１組とするゲームカードを用意してカードゲームに供することを特徴とする電子ペーパー式カードゲームシステムである。
【００１２】
本発明の請求項２に係る発明は、上記請求項１に係る電子ペーパー式カードゲームシステムにおいて、前記カードゲーム情報記憶部に収容された各種のカードゲーム情報が、ディスプレイ表示画面を備えた電子ペーパーを用いた規定枚数を１組とする前記各々ゲームカードに記載されるカードゲーム情報であって、ゲームを構成する図柄、数字、記号等の情報であることを特徴とする電子ペーパー式カードゲームシステムである。
【発明の効果】
【００１３】
本発明の電子ペーパー式カードゲームシステムによれば、紙のように極薄のマイクロカプセル電気泳動型、電子粉流体型、液晶型、有機ＥＬ型等のマトリクスディスプレイ表示シートである反射可視型の電子ペーパーをゲーム用のカードとして使用した電子ペーパー式カードゲームシステムである。
【００１４】
本発明は、電子ペーパーをゲーム用のカードとして使用するため、電子ペーパーである規定枚数を１組とする各々ゲームカードの片面又は両面のディスプレイ表示画面に１枚毎に、規定枚数を１組みとする既存のゲーム用カード、例えばトランプカード、花札、百人一首、タロットカード、ドミノカード、ウノカード、トレーディングカード等のそれぞれゲームカードに必要とする規定の画像、図柄、数字や記号、マーク等の表示を、例えばゲームに興する際などの適時において表示したり、あるいは、それらのカードゲームのいずれかのゲーム用カードに必要とする画像、図柄、数字や記号、マーク等の表示に切り替え表示することが可能となる。
【００１５】
あるいは、新規なゲームカードを発案した場合には、それに必要な規定の画像、図柄、数字や記号、マーク等の表示を、電子ペーパーを用いたそれぞれゲームカードの片面又は両面のディスプレイ表示画面に適時に表示したり、切り替え表示することが可能となるものである。
【００１６】
このように本発明の電子ペーパー式カードゲームシステムは、電子ペーパーをゲーム用のカードとしたので、画像、図柄、数字や記号、マーク等の表示を、自在にカードの片面又は両面のディスプレイ表示画面に表示することができ、各種のゲームを楽しむことができる万能なカードゲームシステムである。
【発明を実施するための最良の形態】
【００１７】
本発明の電子ペーパー式カードゲームシステムの実施の形態を、本発明システムの図１に示すシステムブロック図、及び図２、図３に示すシステムフローチャート図に基づいて以下に詳細に説明する。
【００１８】
本発明の電子ペーパー式カードゲームシステムの一実  例としては、図１に示すように電子ペーパーを用いた規定枚数を１組とする複数枚のゲ  ムカード１と、各々ゲームカード１に図柄、数字、記号、マークなどのゲーム情報を画像として書き込むゲーム情報書き込みヘッド部１１と、該書き込みヘッド部１１を接続して、各々ゲームカード１に書き込むゲーム情報を書き込みヘッド部１１に出力制御するゲーム情報書き込み手段１２とを備える。
【００１９】
前記ゲームカード１は、例えば図１に平面図として示すように、該カード１の片面（表面）又は両面（表裏面）には、電子ペーパーのディスプレイ画面２が形成されている。該ディスプレイ画面２には、ゲームを構成するための図柄、数字、記号、マーク等の画像３が表示されるようになっている。
【００２０】
前記書き込み手段１２には、各種のカードゲームに関する規定の図柄、数字、記号、マークなどのカードゲーム情報を、データベース、ＣＤ−ＲＯＭディスク、ＤＶＤ−ＲＯＭディスク、フロッピー（登録商標）ディスクなどの記録媒体に記憶するゲーム情報記憶部１３を備えている。
【００２１】
また、前記該ゲーム情報記憶部１３に記憶された各種のカードゲーム情報の中から、任意の１種類のカードゲームに関するカードゲーム情報（規定枚数を１組とするカードゲーム情報、例えばトランプカードゲームの場合は１３×４＋１（ジョーカ）＝５３枚を規定枚数とする１組のカードゲーム情報）を選択して出力するゲーム情報選択出力手段１４を備える。
【００２２】
また、前記ゲーム情報選択出力手段１４により選択され出力される１種類のカードゲーム情報を、そのカードゲームの１組の規定枚数と同じ構成種数（図柄種数、数字種数、記
号種数、マーク種数など）にて、所定の順序通りのシーケンスにて出力制御するシーケンス出力手段１５を備えてる。
【００２３】
本発明の電子ペーパー式カードゲームシステムにおいては、前記書き込みヘッド１１、書き込み手段１２、ゲーム情報記憶部１３、ゲーム情報選択出力手段１４、シーケンス出力手段１５は、そのゲームシステムを実行するための専用のゲーム機を使用し、ゲーム機の上記書き込み、記憶、ゲーム情報選択、シーケンス出力等の各動作を、専用ゲーム機に搭載したゲームソフトプログラムに基づいて制御動作させるようにしてもよい。
【００２４】
また、本発明の電子ペーパー式カードゲームシステムにおいては、前記書き込みヘッド１１、書き込み手段１２、ゲーム情報記憶部１３、ゲーム情報選択出力手段１４、シーケンス出力手段１５は、パソコンや携帯電話機など汎用の端末機を用いて、端末機の上記書き込み、記憶、ゲーム情報選択、シーケンス出力等の各動作を、端末機に搭載したゲームソフトプログラムに基づいて制御動作させるようにしてもよい。
【００２５】
本発明の電子ペーパー式カードゲームシステムの一実施例としては、例えば図２に示すシステムフローチャート図に基づいて実施される。
【００２６】
＜ＳＴＥＰ１＞
まず、書き込み手段１２の表示画面（又は１枚目に書き込むゲームカード１）に、カードゲーム情報選択メニューを表示する。
【００２７】
＜ＳＴＥＰ２＞
表示画面に表示された各種のカードゲーム名の記載されたカードゲーム情報選択メニューの中から、所望の１種類のカードゲーム名をボタンにて選択指示し、情報を選択指示する。
【００２８】
＜ＳＴＥＰ３＞
予め準備された規定枚数を１組とする複数枚の電子ペーパーを用いたゲーム用カード１のうち１枚のゲームカード１の書き込み端子部３に書き込み手段１２の書き込みヘッド１１をかざす。
【００２９】
＜ＳＴＥＰ４＞
前記書き込み手段１２による選択指示により発生した選択指示信号により、１種類のカードゲームに使用する１組分の枚数のそれぞれケームカード１の片面（表面）又は両面（表裏面）に書き込むためのカードゲーム情報（例えばトランプゲームの場合は、カード１組分５３枚５３種類のカードゲーム情報）がゲーム情報記憶部１３より選択出力される。
【００３０】
なお、１組分のゲームカード１の両面にカードゲーム情報を書き込む場合においては、その１組分の全てのゲームカード１の一方面（例えば裏面）には、全て同一の図柄等の同一のカードゲーム情報を書き込むことは可能である。
【００３１】
＜ＳＴＥＰ５＞
ゲーム情報記憶部１３より選択出力されたカードゲーム情報は、情報シーケンス出力手段１４により、規定枚数を１組とする複数枚のカードの一枚毎に対応して順序通りに、書き込み手段１２に出力される。
【００３２】
上記のようにして選択した１種類のカードゲーム名が、例えば「トランプゲーム」の場合には、トランプカード１組規定枚数５３枚のカードゲーム情報として、１枚の「ジョーカー図柄」と、それぞれスペード、ハート、クラブ、ダイヤの４種類のカードの各１３枚
の「図柄、数字」の画像データとしてのカードゲーム情報が、情報シーケンス出力手段１４により、規定枚数５３枚を１組とする複数枚のカードの一枚毎に対応して順序通りに、書き込み手段１２に出力されるものである。
【００３３】
＜ＳＴＥＰ６＞
前述のＳＴＥＰ３にてゲームカード１の書き込み端子部３にかざした書き込み手段１２の書き込みヘッド１１から、そのゲームカード１に、規定枚数を１組とする複数枚のカードのうちの１枚目に書き込むための書き込み用のカードゲーム情報データが、無線信号として送信されて、カードゲーム情報が非接触にて、そのゲームカード１の片面又は両面に書き込まれる。
【００３４】
＜ＳＴＥＰ７＞
規定枚数を１組とする複数枚のカードの各々１枚毎に書き込み手段１２の書き込みヘッド１１をかざすことにより、そのかざしたゲームカード１に書き込むための書き込み用のカードゲーム情報データが、無線信号として書き込みヘッド１１から順次送信されて、そのゲームカード１にカードゲーム情報が書き込まれる。その際に、書き込み手段１２は、出力されたカードゲーム情報の書き込み出力回数をカウントすることにより、書き込んだ情報出力枚数（規定枚数）の確認を行う。
【００３５】
＜ＳＴＥＰ８＞
情報シーケンス出力手段１４は、書き込み手段１２によりカウントされた情報出力枚数と、そのカードゲーム情報に予め設定されている規定枚数とを比較照合する。
【００３６】
＜ＳＴＥＰ９＞
カード情報出力枚数が規定枚数に到達して一致すれば、上記選択された１種類のゲームカードのカードゲーム情報の出力を停止し、未到達の場合はＳＴＥＰ５に戻る。
【００３７】
このようにして、例えば「トランプゲーム」の場合には、トランプカード１組規定枚数５３枚のカードゲーム情報として、１枚の「ジョーカー図柄」と、それぞれスペード、ハート、クラブ、ダイヤの４種類のカードの各１３枚の「図柄、数字」の画像データとしてのカードゲーム情報が、規定枚数５３枚を１組とする複数枚の電子ペーパーによる各々ゲームカード１の一枚毎に対応して順序通りに書き込まれることになる。
【００３８】
＜ＳＴＥＰ１０＞
これにより、所定のカードゲームに適用可能な規定枚数を１組とするゲームカード完成して、その所定のカードゲーム用のゲームカードに供されるものである。
【００３９】
本発明の電子ペーパー式カードゲームシステムは、電子ペーパーをゲーム用のカードとして使用し、それぞれゲームカードに必要とする規定の画像、図柄、数字や記号、マーク等（カードゲーム情報）の表示を、例えばゲームに興する際などの適時において、ゲームカードの片面又は両面のディスプレイ表示画面に表示したり、あるいは、それらのカードゲームのいずれかのゲーム用カードに必要とする画像、図柄、数字や記号、マーク等の表示に切り替え表示するものである。
【００４０】
また、新規なカードゲームを発案した場合には、それに必要な規定の画像、図柄、数字や記号、マーク等の表示を、電子ペーパーを用いたそれぞれゲームカードの片面又は両面のディスプレイ表示画面に適時に表示したり、切り替え表示するものである。
【００４１】
このように本発明の電子ペーパー式カードゲームシステムは、電子ペーパーをゲーム用のカードとして応用し、画像、図柄、数字や記号、マーク等の表示を、自在にカードの片
面又は両面のディスプレイ表示画面に表示することができ、各種のゲームを楽しむことができる万能なカードゲームシステムである。
【図面の簡単な説明】
【００４２】
【図１】本発明の電子ペーパー式カードゲームシステムの一実施例のシステムブロック図。
【図２】本発明の電子ペーパー式カードゲームシステムの一実施例におけるシステムフローチャート図。
【図３】本発明の電子ペーパー式カードゲームシステムの一実施例におけるシステムフローチャート図。
【符号の説明】
【００４３】
１…電子ペーパーによるゲームカード
２…ディスプレイ表示画面
２ａ…カード図柄、記号、マーク等
３…書き込み端子部
１１…書き込みヘッド
１２…書き込み手段
１３…カードケーム情報記憶部
１４…カードゲーム情報選択出力部
１５…カードゲーム情報シーケンス出力部
【図１】
2008012207.tif 000003
【図２】
2008012207.tif 000004
【図３】
2008012207.tif 000005